【手続補正書】
【提出日】平成18年12月14日(2006.12.14)
【手続補正１】
【補正対象書類名】明細書
【補正対象項目名】発明の名称
【補正方法】変更
【補正の内容】
【発明の名称】周辺機器、情報処理装置、管理方法、プログラムおよび記憶媒体
【手続補正２】
【補正対象書類名】明細書
【補正対象項目名】特許請求の範囲
【補正方法】変更
【補正の内容】
【特許請求の範囲】
【請求項１】  ネットワークを介して接続されたサーバによって管理され、投入されたジョブ管理コマンドにしたがって、外部から入力されたジョブの管理を行う周辺機器において、
ジョブを受信する受信手段と、
前記ジョブ管理コマンドに含まれるアクセスチケットを解読する解読手段と、
前記ジョブ管理コマンドに含まれるアクセスチケットの解読に基づき、前記ジョブを管理する管理手段とを備えたことを特徴とする周辺機器。
【請求項２】  ネットワークを介して接続されたサーバによって管理され、投入された機器管理コマンドにしたがって、機器管理を行う周辺機器において、
前記機器管理コマンドに含まれるアクセスチケットを解読する解読手段と、
前記機器管理コマンドに含まれるアクセスチケットの解読に基づき、前記機器を管理する管理手段とを備えたことを特徴とする周辺機器。
【請求項３】  ネットワークを介して周辺機器およびサーバに接続され、前記周辺機器に対してジョブ管理を行わせる情報処理装置において、
前記サーバに対してアクセスチケットの発行を要求する発行要求手段と、
前記発行されたアクセスチケットを含むジョブ管理コマンドを生成するコマンド生成手段と、
前記生成されたジョブ管理コマンドを前記周辺機器に対して発行するコマンド発行手段とを備えたことを特徴とする情報処理装置。
【請求項４】  ネットワークを介して周辺機器およびサーバに接続され、前記周辺機器に対して機器管理を行わせる情報処理装置において、
前記サーバに対してアクセスチケットの発行を要求する発行要求手段と、
前記発行されたアクセスチケットを含む機器管理コマンドを生成するコマンド生成手段と、
前記生成された機器管理コマンドを前記周辺機器に対して発行するコマンド発行手段とを備えたことを特徴とする情報処理装置。
【請求項５】  投入されたジョブ管理コマンドにしたがって、周辺機器が外部から入力されたジョブの管理を行う管理方法において、
前記ジョブを受信する受信工程と、
前記ジョブ管理コマンドに含まれるアクセスチケットを解読する解読工程と、
前記ジョブ管理コマンドに含まれるアクセスチケットの解読に基づき、前記ジョブを管理する工程とを有することを特徴とする管理方法。
【請求項６】  投入された機器管理コマンドにしたがって、周辺機器が機器管理を行う管理方法において、
前記機器管理コマンドに含まれるアクセスチケットを解読する解読工程と、
前記機器管理コマンドに含まれるアクセスチケットの解読に基づき、前記機器を管理する管理工程とを有することを特徴とする管理方法。
【請求項７】  ネットワークを介して周辺機器およびサーバに接続された情報処理装置が前記周辺機器に対してジョブ管理を行わせる管理方法であって、
前記サーバに対してアクセスチケットの発行を要求する発行要求工程と、
前記発行されたアクセスチケットを含むジョブ管理コマンドを生成するコマンド生成工程と、
前記生成されたジョブ管理コマンドを前記周辺機器に対して発行するコマンド発行工程とを有することを特徴とする管理方法。
【請求項８】  ネットワークを介して周辺機器およびサーバに接続された情報処理装置が前記周辺機器に対して機器管理を行わせる管理方法であって、
前記サーバに対してアクセスチケットの発行を要求する発行要求工程と、
前記発行されたアクセスチケットを含む機器管理コマンドを生成するコマンド生成工程と、
前記生成された機器管理コマンドを前記周辺機器に対して発行するコマンド発行工程とを有することを特徴とする管理方法。
【請求項９】  請求項５乃至８の何れか１項に記載の管理方法をコンピュータに実行させるためのプログラム。
【請求項１０】  請求項９に記載のプログラムを格納したコンピュータ可読の記憶媒体。
【手続補正３】
【補正対象書類名】明細書
【補正対象項目名】０００１
【補正方法】変更
【補正の内容】
【０００１】
【発明の属する技術分野】
本発明は、例えば、プリンタ、スキャナ、複写機、ファクシミリなどの周辺機器の制御、対応するサーバの設定、周辺機器のユーザ情報管理、印刷枚数管理などを行う周辺機器、情報処理装置、管理方法、プログラムおよび記憶媒体に関する。
【手続補正４】
【補正対象書類名】明細書
【補正対象項目名】００１０
【補正方法】変更
【補正の内容】
【００１０】
そこで、本発明は、ネットワーク環境内でのジョブ管理に関し、統一したアクセス制御を可能とする周辺機器、情報処理装置、管理方法、プログラムおよび記憶媒体を提供することを目的とする。
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】削除
【補正の内容】
【手続補正７】
【補正対象書類名】明細書
【補正対象項目名】００１３
【補正方法】削除
【補正の内容】
【手続補正８】
【補正対象書類名】明細書
【補正対象項目名】００１４
【補正方法】削除
【補正の内容】
【手続補正９】
【補正対象書類名】明細書
【補正対象項目名】００１５
【補正方法】削除
【補正の内容】
【手続補正１０】
【補正対象書類名】明細書
【補正対象項目名】００１６
【補正方法】変更
【補正の内容】
【００１６】
【課題を解決するための手段】
上記目的を達成するために、本発明の請求項１に記載の周辺機器は、ネットワークを介して接続されたサーバによって管理され、投入されたジョブ管理コマンドにしたがって、外部から入力されたジョブの管理を行う周辺機器において、ジョブを受信する受信手段と、前記ジョブ管理コマンドに含まれるアクセスチケットを解読する解読手段と、前記ジョブ管理コマンドに含まれるアクセスチケットの解読に基づき、前記ジョブを管理する管理手段とを備えたことを特徴とする。
【手続補正１１】
【補正対象書類名】明細書
【補正対象項目名】００１７
【補正方法】変更
【補正の内容】
【００１７】
請求項２に記載の周辺機器は、ネットワークを介して接続されたサーバによって管理され、投入された機器管理コマンドにしたがって、機器管理を行う周辺機器において、前記機器管理コマンドに含まれるアクセスチケットを解読する解読手段と、前記機器管理コマンドに含まれるアクセスチケットの解読に基づき、前記機器を管理する管理手段とを備えたことを特徴とする。
【手続補正１２】
【補正対象書類名】明細書
【補正対象項目名】００１８
【補正方法】変更
【補正の内容】
【００１８】
請求項３に記載の情報処理装置は、ネットワークを介して周辺機器およびサーバに接続され、前記周辺機器に対してジョブ管理を行わせる情報処理装置において、前記サーバに対してアクセスチケットの発行を要求する発行要求手段と、前記発行されたアクセスチケットを含むジョブ管理コマンドを生成するコマンド生成手段と、前記生成されたジョブ管理コマンドを前記周辺機器に対して発行するコマンド発行手段とを備えたことを特徴とする。
【手続補正１３】
【補正対象書類名】明細書
【補正対象項目名】００１９
【補正方法】変更
【補正の内容】
【００１９】
請求項４に記載の情報処理装置は、ネットワークを介して周辺機器およびサーバに接続され、前記周辺機器に対して機器管理を行わせる情報処理装置において、前記サーバに対してアクセスチケットの発行を要求する発行要求手段と、前記発行されたアクセスチケットを含む機器管理コマンドを生成するコマンド生成手段と、前記生成された機器管理コマンドを前記周辺機器に対して発行するコマンド発行手段とを備えたことを特徴とする。
【手続補正１４】
【補正対象書類名】明細書
【補正対象項目名】００２０
【補正方法】削除
【補正の内容】
【手続補正１５】
【補正対象書類名】明細書
【補正対象項目名】００２１
【補正方法】削除
【補正の内容】
【手続補正１６】
【補正対象書類名】明細書
【補正対象項目名】００２２
【補正方法】削除
【補正の内容】
【手続補正１７】
【補正対象書類名】明細書
【補正対象項目名】００２３
【補正方法】削除
【補正の内容】
【手続補正１８】
【補正対象書類名】明細書
【補正対象項目名】００２４
【補正方法】削除
【補正の内容】
【手続補正１９】
【補正対象書類名】明細書
【補正対象項目名】００２５
【補正方法】削除
【補正の内容】
【手続補正２０】
【補正対象書類名】明細書
【補正対象項目名】００２６
【補正方法】削除
【補正の内容】
【手続補正２１】
【補正対象書類名】明細書
【補正対象項目名】００２７
【補正方法】削除
【補正の内容】
【手続補正２２】
【補正対象書類名】明細書
【補正対象項目名】００２８
【補正方法】削除
【補正の内容】
【手続補正２３】
【補正対象書類名】明細書
【補正対象項目名】００２９
【補正方法】削除
【補正の内容】
【手続補正２４】
【補正対象書類名】明細書
【補正対象項目名】００３０
【補正方法】削除
【補正の内容】
【手続補正２５】
【補正対象書類名】明細書
【補正対象項目名】００３１
【補正方法】削除
【補正の内容】
【手続補正２６】
【補正対象書類名】明細書
【補正対象項目名】００３２
【補正方法】削除
【補正の内容】
【手続補正２７】
【補正対象書類名】明細書
【補正対象項目名】００３３
【補正方法】削除
【補正の内容】
【手続補正２８】
【補正対象書類名】明細書
【補正対象項目名】００３４
【補正方法】削除
【補正の内容】
【手続補正２９】
【補正対象書類名】明細書
【補正対象項目名】００３５
【補正方法】削除
【補正の内容】
【手続補正３０】
【補正対象書類名】明細書
【補正対象項目名】００３６
【補正方法】削除
【補正の内容】
【手続補正３１】
【補正対象書類名】明細書
【補正対象項目名】００３７
【補正方法】削除
【補正の内容】
【手続補正３２】
【補正対象書類名】明細書
【補正対象項目名】００３８
【補正方法】削除
【補正の内容】
【手続補正３３】
【補正対象書類名】明細書
【補正対象項目名】００３９
【補正方法】削除
【補正の内容】
【手続補正３４】
【補正対象書類名】明細書
【補正対象項目名】００４０
【補正方法】削除
【補正の内容】
【手続補正３５】
【補正対象書類名】明細書
【補正対象項目名】００４１
【補正方法】削除
【補正の内容】
【手続補正３６】
【補正対象書類名】明細書
【補正対象項目名】００４２
【補正方法】削除
【補正の内容】
【手続補正３７】
【補正対象書類名】明細書
【補正対象項目名】００４３
【補正方法】削除
【補正の内容】
【手続補正３８】
【補正対象書類名】明細書
【補正対象項目名】００４４
【補正方法】削除
【補正の内容】
【手続補正３９】
【補正対象書類名】明細書
【補正対象項目名】００４５
【補正方法】削除
【補正の内容】
【手続補正４０】
【補正対象書類名】明細書
【補正対象項目名】００４６
【補正方法】削除
【補正の内容】
【手続補正４１】
【補正対象書類名】明細書
【補正対象項目名】００４７
【補正方法】削除
【補正の内容】
【手続補正４２】
【補正対象書類名】明細書
【補正対象項目名】００４８
【補正方法】削除
【補正の内容】
【手続補正４３】
【補正対象書類名】明細書
【補正対象項目名】００４９
【補正方法】削除
【補正の内容】
【手続補正４４】
【補正対象書類名】明細書
【補正対象項目名】００５０
【補正方法】削除
【補正の内容】
【手続補正４５】
【補正対象書類名】明細書
【補正対象項目名】００５１
【補正方法】削除
【補正の内容】
【手続補正４６】
【補正対象書類名】明細書
【補正対象項目名】００５２
【補正方法】削除
【補正の内容】
【手続補正４７】
【補正対象書類名】明細書
【補正対象項目名】００５３
【補正方法】削除
【補正の内容】
【手続補正４８】
【補正対象書類名】明細書
【補正対象項目名】００５４
【補正方法】削除
【補正の内容】
【手続補正４９】
【補正対象書類名】明細書
【補正対象項目名】００５５
【補正方法】削除
【補正の内容】
【手続補正５０】
【補正対象書類名】明細書
【補正対象項目名】００５６
【補正方法】削除
【補正の内容】
【手続補正５１】
【補正対象書類名】明細書
【補正対象項目名】００５７
【補正方法】削除
【補正の内容】
【手続補正５２】
【補正対象書類名】明細書
【補正対象項目名】００５８
【補正方法】削除
【補正の内容】
【手続補正５３】
【補正対象書類名】明細書
【補正対象項目名】００５９
【補正方法】削除
【補正の内容】
【手続補正５４】
【補正対象書類名】明細書
【補正対象項目名】００６０
【補正方法】削除
【補正の内容】
【手続補正５５】
【補正対象書類名】明細書
【補正対象項目名】００６１
【補正方法】削除
【補正の内容】
【手続補正５６】
【補正対象書類名】明細書
【補正対象項目名】００６２
【補正方法】削除
【補正の内容】
【手続補正５７】
【補正対象書類名】明細書
【補正対象項目名】００６３
【補正方法】削除
【補正の内容】
【手続補正５８】
【補正対象書類名】明細書
【補正対象項目名】００６４
【補正方法】削除
【補正の内容】
【手続補正５９】
【補正対象書類名】明細書
【補正対象項目名】００６５
【補正方法】削除
【補正の内容】
【手続補正６０】
【補正対象書類名】明細書
【補正対象項目名】００６６
【補正方法】削除
【補正の内容】
【手続補正６１】
【補正対象書類名】明細書
【補正対象項目名】００６７
【補正方法】削除
【補正の内容】
【手続補正６２】
【補正対象書類名】明細書
【補正対象項目名】００６８
【補正方法】削除
【補正の内容】
【手続補正６３】
【補正対象書類名】明細書
【補正対象項目名】００６９
【補正方法】削除
【補正の内容】
【手続補正６４】
【補正対象書類名】明細書
【補正対象項目名】００７０
【補正方法】削除
【補正の内容】
【手続補正６５】
【補正対象書類名】明細書
【補正対象項目名】００７１
【補正方法】削除
【補正の内容】
【手続補正６６】
【補正対象書類名】明細書
【補正対象項目名】００７２
【補正方法】削除
【補正の内容】
【手続補正６７】
【補正対象書類名】明細書
【補正対象項目名】００７３
【補正方法】削除
【補正の内容】
【手続補正６８】
【補正対象書類名】明細書
【補正対象項目名】００７４
【補正方法】削除
【補正の内容】
【手続補正６９】
【補正対象書類名】明細書
【補正対象項目名】００７５
【補正方法】削除
【補正の内容】
【手続補正７０】
【補正対象書類名】明細書
【補正対象項目名】００７６
【補正方法】削除
【補正の内容】
【手続補正７１】
【補正対象書類名】明細書
【補正対象項目名】００７７
【補正方法】削除
【補正の内容】
【手続補正７２】
【補正対象書類名】明細書
【補正対象項目名】００７８
【補正方法】削除
【補正の内容】
【手続補正７３】
【補正対象書類名】明細書
【補正対象項目名】００７９
【補正方法】削除
【補正の内容】
【手続補正７４】
【補正対象書類名】明細書
【補正対象項目名】００８０
【補正方法】削除
【補正の内容】
【手続補正７５】
【補正対象書類名】明細書
【補正対象項目名】００８１
【補正方法】削除
【補正の内容】
【手続補正７６】
【補正対象書類名】明細書
【補正対象項目名】００８２
【補正方法】削除
【補正の内容】
【手続補正７７】
【補正対象書類名】明細書
【補正対象項目名】００８３
【補正方法】削除
【補正の内容】
【手続補正７８】
【補正対象書類名】明細書
【補正対象項目名】００８４
【補正方法】削除
【補正の内容】
【手続補正７９】
【補正対象書類名】明細書
【補正対象項目名】００８５
【補正方法】削除
【補正の内容】
【手続補正８０】
【補正対象書類名】明細書
【補正対象項目名】００８６
【補正方法】削除
【補正の内容】
【手続補正８１】
【補正対象書類名】明細書
【補正対象項目名】００８７
【補正方法】削除
【補正の内容】
【手続補正８２】
【補正対象書類名】明細書
【補正対象項目名】００８８
【補正方法】削除
【補正の内容】
【手続補正８３】
【補正対象書類名】明細書
【補正対象項目名】００８９
【補正方法】削除
【補正の内容】
【手続補正８４】
【補正対象書類名】明細書
【補正対象項目名】００９０
【補正方法】削除
【補正の内容】
【手続補正８５】
【補正対象書類名】明細書
【補正対象項目名】００９１
【補正方法】削除
【補正の内容】
【手続補正８６】
【補正対象書類名】明細書
【補正対象項目名】００９２
【補正方法】削除
【補正の内容】
【手続補正８７】
【補正対象書類名】明細書
【補正対象項目名】００９３
【補正方法】削除
【補正の内容】
【手続補正８８】
【補正対象書類名】明細書
【補正対象項目名】００９４
【補正方法】削除
【補正の内容】
【手続補正８９】
【補正対象書類名】明細書
【補正対象項目名】００９５
【補正方法】削除
【補正の内容】
【手続補正９０】
【補正対象書類名】明細書
【補正対象項目名】００９６
【補正方法】削除
【補正の内容】
【手続補正９１】
【補正対象書類名】明細書
【補正対象項目名】００９７
【補正方法】削除
【補正の内容】
【手続補正９２】
【補正対象書類名】明細書
【補正対象項目名】００９８
【補正方法】削除
【補正の内容】
【手続補正９３】
【補正対象書類名】明細書
【補正対象項目名】００９９
【補正方法】削除
【補正の内容】
【手続補正９４】
【補正対象書類名】明細書
【補正対象項目名】０１００
【補正方法】削除
【補正の内容】
【手続補正９５】
【補正対象書類名】明細書
【補正対象項目名】０１０１
【補正方法】削除
【補正の内容】
【手続補正９６】
【補正対象書類名】明細書
【補正対象項目名】０１０２
【補正方法】削除
【補正の内容】
【手続補正９７】
【補正対象書類名】明細書
【補正対象項目名】０１０３
【補正方法】変更
【補正の内容】
【０１０３】
【発明の実施の形態】
本発明の周辺機器、情報処理装置、管理方法、プログラムおよび記憶媒体の実施の形態を図面を参照しながら説明する。
【手続補正９８】
【補正対象書類名】明細書
【補正対象項目名】０２６７
【補正方法】変更
【補正の内容】
【０２６７】
この場合、図２１のステップＳ９１２では、ユーザに対して適当なユーザ情報の提示を促し、各リーダから得られたユーザ情報は、図２１のステップＳ９１４でディレクトリサーバ６に送られる。そして、ディレクトリサーバ６におけるユーザ情報の検証の結果、ユーザ認証が得られた場合、周辺機器１は、該当ユーザに対するアクセスチケットまたはセッション情報であるＴＧＴを取得する。
また、周辺機器制御ソフトウェアが、対象となる周辺機器が対応ディレクトリサーバの種類の情報を持つ必要がなく、汎用的な周辺機器制御システムを提供できる。
さらに、ネットワークなどに接続された複数の機器を使用する環境下で、ユーザ情報の統一管理を行い、同じユーザ情報を複数の機器で使用することができる。また、ネットワークなどで接続された複数の機器を使用する環境下で、ユーザ毎の累積印刷枚数および最大印刷可能枚数の集中管理を行うことができる。さらに、ネットワークの障害があった場合、一時的に周辺機器を使用できる。
【手続補正９９】
【補正対象書類名】明細書
【補正対象項目名】０２７１
【補正方法】削除
【補正の内容】
【手続補正１００】
【補正対象書類名】明細書
【補正対象項目名】０２７２
【補正方法】削除
【補正の内容】